(57)【要約】【課題】鞘管本体の内形と柱状体本体の外形が異なっている場合や、鞘管本体の内形に比べ柱状体本体の外形が相当に小さい場合であっても、柱状体本体が傾いたりがたついたりすることがない柱状体を提供する。【解決手段】柱状体挿入口の開閉を行う蓋体と、前記鞘管本体の上端の外周から外方に突出して設けられた蓋体取付体と、蓋体取付体に設けられ、前記蓋体の取付部を回動可能に取り付ける蓋体取付部材と、を備えた柱状体立設用鞘管と、この柱状体立設用鞘管に嵌挿される柱状体本体と、を備えた柱状体であって、前記鞘管本体に挿入可能となされた挿入部材を前記鞘管本体内に挿入し、この挿入部材に設けられた貫通孔に前記柱状体本体を挿入すると共に、前記挿入部材により前記柱状体本体と鞘管本体との隙間が埋める様にする。【選択図】        図１
2018154978.tif 000002
【特許請求の範囲】
【請求項１】
上端に柱状体挿入口を有する筒状部材によって形成され、その柱状体挿入口を設置面に露出させた状態で設置面下に埋め込まれる鞘管本体と、
基端側に取付部を備えた板状部材によって形成され、柱状体挿入口の開閉を行う蓋体と、
前記鞘管本体の上端の外周から外方に突出して設けられた蓋体取付体と、
蓋体取付体に設けられ、前記蓋体の取付部を回動可能に取り付ける蓋体取付部材と、
を備えた柱状体立設用鞘管と、この柱状体立設用鞘管に嵌挿される柱状体本体と、
を備えた柱状体であって、
前記鞘管本体に挿入可能となされた挿入部材が前記鞘管本体内に挿入され、この挿入部材に設けられた貫通孔に前記柱状体本体が挿入されると共に、前記挿入部材により前記柱状体本体と鞘管本体との隙間が埋められていることを特徴とする柱状体。
【請求項２】
前記挿入部材は前記鞘管本体の内形と同形の水平な板状部を備え、この板状部には前記貫通孔が設けられ、この板状部の下面から下方に向けて、前記柱状体本体の下部を保持する柱状体保持部が突設されており、前記柱状体本体が貫通孔から前記挿入部材に挿入された状態において、前記柱状体本体が前記柱状体保持部により保持される様になされていることを特徴とする請求項１に記載の柱状体。
【請求項３】
前記挿入部材には係止部が備えられ、前記挿入部材を鞘管本体に挿入した状態において、前記係止部が鞘管本体に設けられている被係止部に係止され、前記挿入部材が前記柱状体立設用鞘管の内部で移動しない様になされていることを特徴とする請求項１または２に記載の柱状体。
【請求項４】
前記係止部は挿入部材の下端部に設けられ、前記被係止部は鞘管本体の底部に設けられた通孔であることを特徴とする請求項３に記載の柱状体。
【発明の詳細な説明】
【技術分野】
【０００１】
本発明は、主として柱状体立設用鞘管を用いて設置面に立設された柱状体に関するものである。
【背景技術】
【０００２】
従来より、歩道や公園等への車両の進入を物理的又は心理的に防止する車止めや、また公園の入り口付近に設置され例えば災害時の避難場所を示す表示板、と言った柱状体に関しては、数多くの発明がなされている。例えば、特許文献１には、図１０，１１に示すように、柱状体の下端部を挿入するための鞘管本体１１０と、鞘管本体１１０の上端に設けられた柱状体挿入口１１１の開閉を行う蓋体１２０と、鞘管本体１１０の上端近傍の外周部から外方に突出して設けられた蓋体取付基体１３０と、蓋体取付基体１３０の内側で蓋体１２０を回動可能な状態で取り付ける支軸１４１とを備えた柱状体立設用鞘管１００を用いて設置面に立設された柱状体が知られている（特許文献１）。
【先行技術文献】
【特許文献】
【０００３】
【特許文献１】特開２０１４−６４９３４号公報
【発明の概要】
【発明が解決しようとする課題】
【０００４】
しかし、この種の柱状体立設用鞘管を用いて設置面に立設された柱状体において、鞘管本体の内形とそれに挿入される柱状体本体下部とが同形かつ、柱状体下部の大きさが鞘管本体の大きさよりやや小さい場合は、鞘管本体に柱状体本体下部を挿入しても柱状体本体が傾いたりがたついたりすることは無いが、鞘管本体の内形と柱状体本体の外形が異なっている場合や、鞘管本体の内形と柱状体本体の外形が同形であっても、鞘管本体の内形に比べ柱状体本体の外形が相当に小さい場合には、鞘管本体に柱状体本体下部を挿入すると、柱状体本体が傾いたりがたついたりすることがある。
【０００５】
そこで本発明は、上記の如き課題に鑑みてなされたものであり、鞘管本体の内形と柱状体本体の外形が異なっている場合や、鞘管本体の内形に比べ柱状体本体の外形が相当に小さい場合であっても、柱状体本体が傾いたりがたついたりすることがない柱状体を提供せんとするものである。
【課題を解決するための手段】
【０００６】
上記目的を達成するために、本発明は次のような構成としている。
すなわち、本発明に係る柱状体は、上端に柱状体挿入口を有する筒状部材によって形成され、その柱状体挿入口を設置面に露出させた状態で設置面下に埋め込まれる鞘管本体と、  基端側に取付部を備えた板状部材によって形成され、柱状体挿入口の開閉を行う蓋体と、前記鞘管本体の上端の外周から外方に突出して設けられた蓋体取付体と、蓋体取付体に設けられ、前記蓋体の取付部を回動可能に取り付ける蓋体取付部材と、を備えた柱状体立設用鞘管と、この柱状体立設用鞘管に嵌挿される柱状体本体と、を備えた柱状体であって、前記鞘管本体に挿入可能となされた挿入部材が前記鞘管本体内に挿入され、この挿入部材に設けられた貫通孔に前記柱状体本体が挿入されると共に、前記挿入部材により前記柱状体本体と鞘管本体との隙間が埋められていることを特徴とするものである。
【０００７】
この構成によれば、上端に柱状体挿入口を有する筒状部材によって形成され、その柱状体挿入口を設置面に露出させた状態で設置面下に埋め込まれる鞘管本体と、  基端側に取付部を備えた板状部材によって形成され、柱状体挿入口の開閉を行う蓋体と、前記鞘管本体の上端の外周から外方に突出して設けられた蓋体取付体と、蓋体取付体に設けられ、前記蓋体の取付部を回動可能に取り付ける蓋体取付部材と、を備えた柱状体立設用鞘管と、この柱状体立設用鞘管に嵌挿される柱状体本体と、を備えた柱状体であって、前記鞘管本体に挿入可能となされた挿入部材が前記鞘管本体内に挿入され、この挿入部材に設けられた貫通孔に前記柱状体本体が挿入されると共に、前記挿入部材により前記柱状体本体と鞘管本体との隙間が埋められているので、鞘管本体の内形と柱状体本体の外形が異なっている場合や、鞘管本体の内形に比べ柱状体本体の外形が相当に小さい場合であっても、前記挿入部材により柱状体本体と鞘管本体との隙間が埋められているため、柱状体本体が傾いたりがたついたりするのを防止することができる。
【０００８】
また本発明に係る柱状体は、前記挿入部材が前記鞘管本体の内形と同形の水平な板状部を備え、この板状部には前記貫通孔が設けられ、この板状部の下面から下方に向けて、前記柱状体本体の下部を保持する柱状体保持部が突設されており、前記柱状体本体が貫通孔から前記挿入部材に挿入された状態において、前記柱状体本体が前記柱状体保持部により保持される様になされていることを特徴とするものである。
【０００９】
この構成によれば、前記挿入部材が前記鞘管本体の内形と同形の水平な板状部を備え、この板状部には前記貫通孔が設けられ、この板状部の下面から下方に向けて、前記柱状体本体の下部を保持する柱状体保持部が突設されており、前記柱状体本体が貫通孔から前記挿入部材に挿入された状態において、前記柱状体本体が前記柱状体保持部により保持される様になされているので、前記挿入部材に挿入された柱状体本体が前記柱状体保持部により確実に保持されて、柱状体本体が傾いたりがたついたりするのを防止することができる。
【００１０】
また本発明に係る柱状体は、前記挿入部材には係止部が備えられ、前記挿入部材を鞘管本体に挿入した状態において、前記係止部が鞘管本体に設けられている被係止部に係止され、前記挿入部材が前記柱状体立設用鞘管の内部で移動しない様になされていることを特徴とするものである。
【００１１】
この構成によれば、前記挿入部材には係止部が備えられ、前記挿入部材を鞘管本体に挿入した状態において、前記係止部が鞘管本体に設けられている被係止部に係止され、前記挿入部材が前記柱状体立設用鞘管の内部で移動しない様になされているので、前記鞘管本体に挿入された挿入部材及びそれに挿入された前記柱状体本体が鞘管本体内で移動したり、回動したりすることを防止することができる。
ことができる。
【００１２】
また本発明に係る柱状体は、前記係止部が挿入部材の下端部に設けられ、前記被係止部は鞘管本体の底部に設けられた通孔であることを特徴とするものである。
【００１３】
この構成によれば、前記係止部が挿入部材の下端部に設けられ、前記被係止部は鞘管本体の底部に設けられた通孔であるので、前記挿入部材を鞘管本体に挿入する際、前記係止部が鞘管本体に引っ掛かることなく、前記被係止部である通孔に係止させることができ、それにより、前記鞘管本体に挿入された挿入部材及びそれに挿入された前記柱状体本体が鞘管本体内で移動したり、回動したりすることを防止することができる。
【発明の効果】
【００１４】
本発明によれば、鞘管本体の内形と柱状体本体の外形が異なっている場合や、鞘管本体の内形に比べ柱状体本体の外形が相当に小さい場合であっても、前記挿入部材により柱状体本体と鞘管本体との隙間が埋められているため、柱状体本体が傾いたりがたついたりするのを防止することができる。
【図面の簡単な説明】
【００１５】
【図１】本発明に係る柱状体の一つの実施形態を示す正面図である。
【図２】本発明に係る柱状体の別の実施形態を示す正面図である。
【図３】図１，２に示す実施形態に用いられている柱状体立設用鞘管の、（ａ）は斜視図、（ｂ）は（ａ）の反対側から見た斜視図である。
【図４】図１に示す実施形態に用いられている挿入部材の、（ａ）は斜視図、（ｂ）は（ａ）の反対側から見た斜視図である。
【図５】図４に示す挿入部材の、（ａ）は正面図、（ｂ）は右側面図、（ｃ）は左側面図、（ｄ）は背面図、（ｅ）は平面図、（ｆ）は底面図である。
【図６】図２に示す実施形態に用いられている挿入部材の、（ａ）は斜視図、（ｂ）は（ａ）の反対側から見た斜視図である。
【図７】図１に示す柱状体の設置方法を示す説明図（斜視図）である。
【図８】図１に示す実施形態に用いられている挿入部材を柱状体立設用鞘管に挿入した状態を示す、（ａ）は斜視図、（ｂ）は（ａ）の反対側から見た斜視図である。
【図９】図２に示す実施形態に用いられている挿入部材を柱状体立設用鞘管に挿入した状態を示す、（ａ）は斜視図、（ｂ）は（ａ）の反対側から見た斜視図である。
【図１０】図１，２に示す実施形態に用いられている柱状体立設用鞘管の、（ａ）は下方側から見た斜視図、（ｂ）は（ａ）に示す柱状体立設用鞘管に挿入部材を挿入した状態を示す斜視図（図８，９を下方側から見た斜視図）である。
【発明を実施するための形態】
【００１６】
次に、本発明につき実施形態を取り上げて説明を行う。なお、本実施形態はあくまでも本発明を理解するための一例を示したに過ぎず、各部の形状、構造、材質等に関し、本実施形態以外のバリエーションが、本発明の要旨を逸脱しない範囲内で許容されていることは言うまでもない。
【００１７】
図１，２において、Ｐは柱状体であり、上端に柱状体挿入口１１１を有する筒状部材によって形成され、その柱状体挿入口１１１を設置面Ｇに露出させた状態で設置面Ｇ下に埋め込まれる鞘管本体１１と、基端側に取付部１２１を備えた板状部材によって形成され、柱状体挿入口１１１の開閉を行う蓋体１２と、前記鞘管本体１１の上端の外周から外方に突出して設けられた蓋体取付体１３と、蓋体取付体１３に設けられ、前記蓋体１２の取付部１２１を回動可能に取り付ける蓋体取付部材１４と、を備えた柱状体立設用鞘管１と、この柱状体立設用鞘管１に嵌挿される柱状体本体２と、を備えている。
【００１８】
そして、前記柱状体Ｐは、前記鞘管本体１１に挿入可能となされた挿入部材３が前記鞘管本体１１内に挿入され、この挿入部材３に設けられた貫通孔３１に前記柱状体本体２が挿入されると共に、前記挿入部材３により前記柱状体本体２と鞘管本体１１との隙間Ｓが埋められている。
【００１９】
前記鞘管本体１１は、上部が開口されて柱状体挿入口１１１となされると共に底板部１１２を備えた円筒状部材であり、前記底板部１１２には３個の水抜き孔である通孔１１３が円周に沿って等間隔に形成されている。そして、その基端側に取付部１２１が設けられた蓋体１２が、前記鞘管本体１１の上端の外周から外方に突出して設けられた前記蓋体取付体１３に、前記蓋体取付部材１４である円柱軸体１４を介して回動可能に取り付けられている。
【００２０】
前記蓋体取付体１３は、平板材が折り曲げられ、平面視においてコの字状に形成されており、その先端が前記鞘管本体１１の外周に沿う様に折り曲げられ、その折り曲げられた部分と前記鞘管本体１１とが溶接などされて、前記蓋体取付体１３が鞘管本体１１の上端に取り付けられている。この蓋体取付体１３の基端側に前記円柱軸体１４が挿通される通孔が設けられ、その通孔に前記円柱軸体１４が挿通されている。
【００２１】
前記柱状体本体２は、正面視において倒コ字状に形成されている。まず図１に示す実施形態においては、前記柱状体本体２は四角形状の金属管から形成されており、左右一対の柱部２１には横桟２２が差し渡されている。そして図４，５に示す様に、この実施形態に用いられている前記挿入部材３は、前記鞘管本体１１の内形である円形と同形の水平な板状部３２を備え、この板状部３２には前記柱状体本体２の外形と同形かつ前記柱状体本体２の柱部２１が挿入できる四角形状の前記貫通孔３１が設けられ、この板状部３２の下面から下方に向けて、前記柱状体本体２の下部を保持する柱状体保持部３３が突設されており、前記柱状体本体２が貫通孔３１から前記挿入部材３に挿入された状態において、前記柱状体本体２が前記柱状体保持部３３により保持される様になされている。
【００２２】
詳細には、前記柱状体保持部３３は水平断面コ字状に形成された縦壁体で構成されており、この縦壁体が前記柱部２１の外形よりやや大きく形成されており、前記縦壁体の内側に前記柱部２１が挿入され前記挿入部材３に挿入された前記柱状体本体２の下部が保持されるようになされている。
【００２３】
またこの実施形態に示す前記挿入部材３の柱状体保持部３３の下端部には係止部３４が備えられ、前記鞘管本体１１の底板部１１２に形成されている通孔１１３に挿入できる様に倒Ｌ字状に形成されており、前記挿入部材３が前記柱状体立設用鞘管１に挿入された状態で、前記係止部３４が前記通孔１１３に挿入されるようになされている。こうすることによって、前記係止部３４が鞘管本体１に設けられている被係止部である通孔１１３に係止され、前記挿入部材３が柱状体立設用鞘管１の内部で移動や回動しない様にすることができる。
【００２４】
次に図２に示す前記柱状体本体２の実施形態においては、前記柱状体本体２は円形状の金属管から、正面視において倒コ字状に形成されているのみであり、図１に示す実施形態に備わっている前記横桟２２は備わっていない。そして図６に示す様に、この実施形態に用いられている前記挿入部材３は、前記鞘管本体１１の内形である円形と同形の水平な板状部３２を備え、この板状部３２には前記柱状体本体２の外形と同形かつ前記柱状体本体２の柱部２１が挿入できる円形状の前記貫通孔３１が設けられ、この板状部３２の下面から下方に向けて、前記柱状体本体２の下部を保持する柱状体保持部３３が突設されており、前記柱状体本体２が貫通孔３１から前記挿入部材３に挿入された状態において、前記柱状体本体２が前記柱状体保持部３３により保持される様になされている。詳細には、前記柱状体保持部３３は正対する２個の平板体で構成されており、この平板体間の距離が前記柱部２１の外径よりやや大きくなされており、２個の前記平板体間に前記柱部２１が挿入され前記挿入部材３に挿入された前記柱状体本体２の下部が保持されるようになされている。
【産業上の利用可能性】
【００２５】
本発明によれば、上端に柱状体挿入口を有する筒状部材によって形成され、その柱状体挿入口を設置面に露出させた状態で設置面下に埋め込まれる鞘管本体と、  基端側に取付部を備えた板状部材によって形成され、柱状体挿入口の開閉を行う蓋体と、前記鞘管本体の上端の外周から外方に突出して設けられた蓋体取付体と、蓋体取付体に設けられ、前記蓋体の取付部を回動可能に取り付ける蓋体取付部材と、を備えた柱状体立設用鞘管と、この柱状体立設用鞘管に嵌挿される柱状体本体と、を備えた柱状体であって、前記鞘管本体に挿入可能となされた挿入部材が前記鞘管本体内に挿入され、この挿入部材に設けられた貫通孔に前記柱状体本体が挿入されると共に、前記挿入部材により前記柱状体本体と鞘管本体との隙間が埋められているので、鞘管本体の内形と柱状体本体の外形が異なっている場合や、鞘管本体の内形に比べ柱状体本体の外形が相当に小さい場合であっても、前記挿入部材により柱状体本体と鞘管本体との隙間が埋められているため、柱状体本体が傾いたりがたついたりするを防止することができ、更には前記鞘管本体に挿入された挿入部材及びそれに挿入された前記柱状体本体が鞘管本体内で移動したり、回動したりすることを防止することができる柱状体として好適に利用できる。
【符号の説明】
【００２６】
１          柱状体立設用鞘管
１１        鞘管本体
１１１      柱状体挿入口
１１２      底部
１１３      通孔
１２        蓋体
１２１      取付部
１３        蓋体取付体
１４        蓋体取付部材
２          柱状体本体
２１        柱部
２２        横桟
３          挿入部材
３１        貫通孔
３２        板状体
３３        柱状体保持部
３４        係止部
Ｐ          柱状体
Ｇ          設置面
Ｓ          隙間
【図１】
2018154978.tif 000003
【図２】
2018154978.tif 000004
【図３】
2018154978.tif 000005
【図４】
2018154978.tif 000006
【図５】
2018154978.tif 000007
【図６】
2018154978.tif 000008
【図７】
2018154978.tif 000009
【図８】
2018154978.tif 000010
【図９】
2018154978.tif 000011
【図１０】
2018154978.tif 000012